(57)【要約】【課題】人体背面へのマッサージを効果的に行う。【解決手段】シートの前面に配設されてシートに座る使用者の背面をマッサージするマッサージ機である。上部に肩部マッサージ用のマッサージユニット３を、下部に腰部マッサージ用のマッサージユニット３を内蔵する。各マッサージユニット３の背後には断面楔状でマッサージユニット３を人体背面に正対させる角度設定部材１１を備える。角度設定部材１１の存在により、各マッサージユニット３を使用者の肩部や腰部に正対させることができる。【選択図】　図１
2004016287.tif 000002
【特許請求の範囲】
【請求項１】
シートの前面に配設されてシートに座る使用者の背面をマッサージするマッサージ機であって、上部に肩部マッサージ用のマッサージユニットを、下部に腰部マッサージ用のマッサージユニットを内蔵するとともに、各マッサージユニットの背後には断面楔状でマッサージユニットを人体背面に正対させる角度設定部材を備えていることを特徴とする車用マッサージ機。
【請求項２】
角度設定部材は低反発素材で形成されていることを特徴とする請求項１記載の車用マッサージ機。
【請求項３】
マッサージユニットはベースプレートに左右一対のマッサージ手段を取り付けたものであって、上記ベースプレートはその左右方向中央部で屈曲可能な弾性材で形成されていることを特徴とする請求項１または２記載の車用マッサージ機。
【請求項４】
マッサージユニットはベースプレートに左右一対のマッサージ手段を取り付けたものであって、各マッサージ手段は軸回りに回転駆動される回転板の表面に複数のローラを配したロータであり、且つ左右のマッサージ手段で回転板の回転方向が逆になっていることを特徴とする請求項１〜３のいずれかの項に記載の車用マッサージ機。
【請求項５】
ロータの回転駆動用のモータは周波数１Ｈｚ前後の矩形波信号のデューティ比制御で駆動されるものであることを特徴とする請求項４記載の車用マッサージ機。
【請求項６】
車のシートの背後に回されてシートに巻回固定されるバックル付きベルトをシートへの固定手段として備えていることを特徴とする請求項１〜５のいずれかの項に記載の車用マッサージ機。
【請求項７】
車のシートの座部上に配置されるシート部を備えるとともに、マッサージユニットを内蔵する本体部に対してシート部が着脱自在となっていることを特徴とする請求項１〜６のいずれかの項に記載の車用マッサージ機。
【請求項８】
マッサージユニットは防音シートで包まれていることを特徴とする請求項１〜７のいずれかの項に記載の車用マッサージ機。
【発明の詳細な説明】
【０００１】
【発明の属する技術分野】
本発明は自動車などの車のシートに装着して使用する車用マッサージ機に関するものである。
【０００２】
【従来の技術】
車のシートに装着して使用する車用マッサージ機は従来から提供されているが、これらは振動発生器による振動マッサージを使用者に対して行うものが一般的であり、これに伴ってマッサージ機も車のシートの背もたれ部の前面に置いて使用するものであった。
【０００３】
【発明が解決しようとする課題】
しかし、振動マッサージだけでは十分なマッサージ効果を使用者に与えることができないために、指圧的なマッサージを行うことができるマッサージ手段を内臓させたマッサージ機が望まれている。
【０００４】
しかし、指圧的なマッサージを行うマッサージ手段を用いた場合、車のシートの前面に置かれて使用される車用のマッサージ機では次のような問題が生ずる。すなわち、人体の背面の曲線は身長差などのこともあって個人差が大きく、上下位置を調節することができるようになっていたとしても、マッサージ手段が人体の背面に正対せず、これに伴って指圧的なマッサージを効果的に行うことができない。
【０００５】
また、指圧的なマッサージを行う場合、その反力でマッサージ機がシートの前面からずれ動いてしまうことがある。
【０００６】
本発明はこのような点に鑑みなされたものであって、その目的とするところは人体背面へのマッサージを効果的に行うことができる車用マッサージ機を提供するにある。
【０００７】
【課題を解決するための手段】
しかして本発明は、シートの前面に配設されてシートに座る使用者の背面をマッサージするマッサージ機であって、上部に肩部マッサージ用のマッサージユニットを、下部に腰部マッサージ用のマッサージユニットを内蔵するとともに、各マッサージユニットの背後には断面楔状でマッサージユニットを人体背面に正対させる角度設定部材を備えていることに特徴を有している。角度設定部材の存在により、各マッサージユニットを使用者の肩部や腰部に正対させることができる。
【０００８】
この時、角度設定部材が低反発素材で形成されていると、より適切にマッサージユニットを人体背面に正対させることができる。
【０００９】
また、マッサージユニットはベースプレートに左右一対のマッサージ手段を取り付けたものであって、上記ベースプレートはその左右方向中央部で屈曲可能な弾性材で形成されていると、左右方向においてもマッサージユニットを人体背面に正対させることができる。
【００１０】
そして、マッサージユニットはベースプレートに左右一対のマッサージ手段を取り付けたものであって、各マッサージ手段は軸回りに回転駆動される回転板の表面に複数のローラを配したロータであり、且つ左右のマッサージ手段で回転板の回転方向が逆になっていると、効果的なマッサージを人体に与えることができる。
【００１１】
また、ロータの回転駆動用のモータは周波数１Ｈｚ前後の矩形波信号のデューティ比制御で駆動されるものであると、高トルク回転でのマッサージを行うことができる。
【００１２】
車のシートの背後に回されてシートに巻回固定されるバックル付きベルトをシートへの固定手段として備えていることも好ましい。
【００１３】
また、車のシートの座部上に配置されるシート部を備えるとともに、マッサージユニットを内蔵する本体部に対してシート部が着脱自在となっていたり、マッサージユニットが防音シートで包まれていることも好ましい。
【００１４】
【発明の実施の形態】
以下本発明を実施の形態の一例に基づいて詳述すると、このマッサージ機は自動車のシートの背もたれ部の前面に配設されて使用されるもので、図２に示すように、上下に夫々マッサージユニット３，３を内蔵している本体１の下端には、スライドファスナー１０によって着脱自在とされたシート部２が連結されており、本体１からはコントローラ６と電源接続用のシガープラグ７とが引き出されている。
【００１５】
また、本体１の上下方向中央部にはモータで偏心分銅を回転させることで振動を発生させる振動発生器５が配設されており、シート部２にもやはり振動発生器５，５が配設されている。図中１５は本体１側とシート部２側との接続する電源線用のコネクターである。
【００１６】
本体１内の上部と下部とに夫々配設されているマッサージユニット３は、図３に示すように、ベースプレート３１上に左右一対のロータ４，４を装着したもので、マッサージ手段である各ロータ４はモータ（図示せず）によって図中の矢印方向に回転駆動される円板４０の中心から離れたところに複数のローラ４１，４１を配し、円板４０を回転させた時、このロータ４に持たれている使用者の背面に対して両ローラ４１，４１が圧力を加えてマッサージを行う。
【００１７】
なお、図から明らかなように、左右のロータ４，４は逆方向に回転を行うことで高いマッサージ効果を得られるようにしているとともに、マッサージの反力によるところのマッサージ機を動かそうとする力が両ロータ４，４によって打ち消されてしまうようにしている。
【００１８】
また、ロータ４を回転させるためのモータの駆動は、周波数３０Ｈｚ程度でのデューティ比制御で行うのが通常であるが、ここでは図６に示すように周波数１Ｈｚ程度の矩形波信号でのデューティ比Ｄの制御を行うものとし、連続してオンとなっている期間を長くすることで高いトルクが得られるようにしているとともに、人体に接触するローラ４１によってあたかも人間の指による指圧のような感触を得られるようにしている。
【００１９】
今、図４に示すように本体１に取り付けられているバックル１２ａ，１２ｂ付きのベルト１１を車のシート９の背後に回して固定し、シガープラグ７を車のシガーソケットに接続して電源を取り、コントローラ６を操作してロータ４や振動発生器５を作動させることで、ロータ４のローラ４１によるマッサージや振動マッサージを使用者が得ることができるのであるが、本体１内の上部に配したマッサージユニット３における左右一対のロータ４，４は使用者の肩部付近に、本体１内の下部に配したマッサージユニット３における左右一対のロータ４，４は使用者の腰部付近に接触する。
【００２０】
この時、各ロータ４と人体との接触を良好に保つために、ここでは図１に示すように、各マッサージユニット３のベースプレート３１の背後には断面楔状の角度設定部材１１を配置して、上部のマッサージユニット３のロータ４が斜め下方向きに、下部のマッサージユニット３のロータ４が斜め上方向きになるようにしてある。また、角度設定部材１１には弾性部１２を設けて、使用者が本体１に持たれた時、ロータ４が人体背面に正対するようにしてある。なお、この弾性部１２としては、低反発性（スローリカバリー性）を有する低反発素材を好適に用いることができる。
【００２１】
さらに左右方向においてもロータ４が人体背面に正対するように、左右一対のロータ４，４が取り付けられているベースプレート３１に弾性を持たせる（たとえばＰＶＣ板の背面に低発泡ポリエチレンフォームを裏打ちしたものとする）ことで、人体の荷重が加えられた時、図５に示すようにベースプレート３１が左右方向中央で屈曲して左右一対のロータ４，４が共に中央寄りに向きを変えるようにしてある。また、ここでもベースプレート３１の左右両端の背後に低反発素材からなる弾性材３５を配しておくと、ロータ４，４を人体背面に正対させることを確実に行うことができるものとなる。
【００２２】
図７に他例を示す。これはマッサージユニット３におけるベースプレート３１に直接ロータ４を取り付けるのでなく、ベースプレート３１に対して軸３０で回動自在であり且つばね（図示例ではねじりコイルばね）３３によって付勢された回転プレート３２上にロータ４を取り付けている。ばね３３による回転プレート３２の回転でロータ４が人体背面に正対する角度まで回動する。この場合、ベースプレート２１の背面側に位置する角度設定部材１１が弾性部１２を有していないものにおいても、個人差に対応してロータ４を人体背面に正対させることができる。
【００２３】
図８は振動発生器５を内蔵するシート部２に代えて本体部１に装着される他のシート部２’を示しており、このシート部２’はヒータ５０を内蔵している。
【００２４】
図９はロータ４の回転駆動音の防音のために、ゴムシートからなる防音シート３８でマッサージユニット３を完全に包んだものを示している。図中３９は接着部である。
【００２５】
【発明の効果】
以上のように本発明においては、シートの前面に配設されてシートに座る使用者の背面をマッサージするマッサージ機であって、上部に肩部マッサージ用のマッサージユニットを、下部に腰部マッサージ用のマッサージユニットを内蔵するとともに、各マッサージユニットの背後には断面楔状でマッサージユニットを人体背面に正対させる角度設定部材を備えているために、角度設定部材の存在により、各マッサージユニットを使用者の姿勢や体格に応じて肩部や腰部に正対させることができるものであり、使用者に対して効果的なマッサージを行うことができる。
【００２６】
この時、角度設定部材が低反発素材で形成されていると、より適切にマッサージユニットを人体背面に正対させることができて、マッサージ効果を高くすることができる。
【００２７】
また、マッサージユニットはベースプレートに左右一対のマッサージ手段を取り付けたものであって、上記ベースプレートはその左右方向中央部で屈曲可能な弾性材で形成されていると、使用者の荷重によるところのベースプレートの中央部での屈曲で左右のマッサージユニットは夫々左右方向においても人体背面に正対するものであり、このためにより効果的なマッサージを得ることができる。
【００２８】
そして、マッサージユニットはベースプレートに左右一対のマッサージ手段を取り付けたものであって、各マッサージ手段は軸回りに回転駆動される回転板の表面に複数のローラを配したロータであり、且つ左右のマッサージ手段で回転板の回転方向が逆になっていると、指圧的マッサージを人体に対して効果的に与えることができる。また、マッサージ反力によるところのマッサージ機のずれを少なくすることができる。
【００２９】
また、ロータの回転駆動用のモータは周波数１Ｈｚ前後の矩形波信号のデューティ比制御で駆動されるものであると、高トルク回転でのマッサージを行うことができる。
【００３０】
車のシートの背後に回されてシートに巻回固定されるバックル付きベルトをシートへの固定手段として備えていると、車のシートに対してずれ動くことがないものとなる。
【００３１】
また、車のシートの座部上に配置されるシート部を備えるとともに、マッサージユニットを内蔵する本体部に対してシート部が着脱自在となっていると、シート部にもマッサージ手段を内蔵させることで使用者の臀部や大腿部に対するマッサージも行うことができる上に、不要であればシート部を取り外してしまうことができる。
【００３２】
さらにマッサージユニットが防音シートで包まれていると、動作が静かなマッサージを得ることができる。
【図面の簡単な説明】
【図１】本発明の実施の形態の一例の縦断面図である。
【図２】（ａ）は同上の破断正面図、（ｂ）は本体部とシート部とを分離した状態の破断正面である。
【図３】同上のマッサージユニットの正面図である。
【図４】（ａ）は同上のベルトを示す部分背面図、（ｂ）は車のシートへの取付状態を示す断面図である。
【図５】同上の水平断面図である。
【図６】同上のマッサージユニットの駆動についてのタイムチャートである。
【図７】他例のマッサージユニットを示すもので、（ａ）（ｂ）は斜視図である。
【図８】シート部の他例を示す破断正面図である。
【図９】マッサージユニットの他例を示すもので、（ａ）（ｂ）は斜視図である。
【符号の説明】
１　本体部
２　シート部
３　マッサージユニット
１１　角度設定部材
１２　弾性部
【図１】
2004016287.tif 000003
【図２】
2004016287.tif 000004
【図３】
2004016287.tif 000005
【図４】
2004016287.tif 000006
【図５】
2004016287.tif 000007
【図６】
2004016287.tif 000008
【図７】
2004016287.tif 000009
【図８】
2004016287.tif 000010
【図９】
2004016287.tif 000011